(57)【特許請求の範囲】
【請求項１】
地中に埋設された筒体と、この筒体に昇降自在に設けられた支柱と、この支柱に設けられた防霜ファンと、で構成される昇降型防霜ファン装置における支柱の支持・固定装置であって、
この支柱の支持・固定装置の筒体と支柱とを、この支柱に貫設した一本又は数本の支持杆で支持し、またこの支柱の支持・固定装置の筒体と支柱とを、この筒体に装置した一本又は数本の緊締ネジで固定したことを特徴とする昇降型防霜ファン装置における支柱の支持・固定装置。
【請求項２】
上記支柱の長手方向に複数段の貫通孔を開設し、この長手方向の貫通孔を選択し、この選択した貫通孔に支持杆を貫設することにより、この支柱の筒体からの突出長さを変更する構成とした請求項１に記載の昇降型防霜ファン装置における支柱の支持・固定装置。
【請求項３】
上記支持杆は湾曲状の杆部を有しており、この湾曲状の杆部を利用してこの支持杆を支柱に十文字状に貫設する構成とした請求項１に記載の昇降型防霜ファン装置における支柱の支持・固定装置。
【発明の詳細な説明】
【０００１】
【発明の属する技術分野】
本発明は、茶園防霜用でかつこの茶園の茶樹内に収容できる昇降型防霜ファン装置における支柱の支持・固定装置に関する。
【０００２】
【従来の技術】
従来、防霜ファン装置において地中に埋設した筒体と防霜ファンを有する支柱との組合せで、かつこの支柱の昇降により前記防霜ファンを昇降させる構成は、本出願人が提案している。しかし、簡易でかつ安全性に優れた支柱の支持・固定に関しては具体的な触れていなかったのが現況である。
【０００３】
尚、防霜ファン装置でないが、ゴルフ場用ファンが昇降して、昇降又は伸縮する支柱（ポール）を固定する先行技術としては下記の文献がある。例えば、（１）実開平５−８３３９２号のゴルフ場用ファン装置には、複数の固定・支持装置が開示されている。先ず、収納ケースとポールとの例では、ラックとピニオンとの噛合関係で支持及び固定する構成が、また昇降式支柱の例では、プーリーとチェーンとの関係で支持及び固定する構成が、またリンク式支柱の例では、シリンダーで支持及び固定する構成が、それぞれ開示されている。次に（２）実開平５−１５７４７号のゴルフ場における芝生の育成装置には、ポストの位置をチェーンとスプロケットとの噛合関係で確保し、スプロケットの回転及び停止を電動機の回転及び停止で行う構成である。
【０００４】
【発明が解決しようとする課題】
前記した技術文献では、次のような課題がある。▲１▼これらの考案（以下、この考案とする。）では、いずれも支持・固定装置は昇降機構を兼用する構成であり、例えば、ラックとピニオン等の機械的構造を採用することから、構造が複雑となる。▲２▼この考案では動力を使用する構成であり、電源及び配線が必要となり設置及び装置の複雑化を招来する。▲３▼この考案では、昇降機構を使用する頻度が多いことから、例えば、支持状態又は固定状態の確保及び安全性の確保等の面で特別な装置、機構が必要となり、一層構造が複雑となる。▲４▼この考案では、防水構造を採用することが必要となり構造が複雑となる。
【０００５】
【課題を解決するための手段】
本発明は、支柱を人的手段等により確実かつ迅速に昇降できること、及びこの昇降位置を確実にキープできること、又は支柱の支持・固定を、支持杆及び緊締ネジを利用して確保できること、支持・固定装置の設置及び装置の簡略化が図れること、等を目的として下記の構成を採用する。
【０００６】
即ち、本発明は、地中に埋設された筒体と、この筒体に昇降自在に設けられた支柱と、この支柱に設けられた防霜ファンと、で構成される昇降型防霜ファン装置における支柱の支持・固定装置であって、
この支柱の支持・固定装置の筒体と支柱とを、この支柱に貫設した一本又は数本の支持杆で支持し、またこの支柱の支持・固定装置の筒体と支柱とを、この筒体に装置した一本又は数本の緊締ネジで固定したことを特徴とする構成である。
【０００７】
【発明の実施の形態】
本発明は、筒体に支柱が昇降自在に設けられており、次のような特徴を有する。即ち、その降下時には、支柱は筒体に収容された状態で、この支柱に設けられた防霜ファンの要部が茶樹に隠蔽され、逆にその上昇時には、支柱は筒体から突出された状態で、防霜ファンが茶樹上に設置される構成であり、この支柱と筒体とは、支持杆と緊締ネジとにより所定位置で支持・固定される構成となっている。
【０００８】
そして、支柱と筒体との支持は、少なくとも一本又は二本の支持杆を、支柱の貫通孔に貫設しかつ筒体の開口上端への掛止めでなす構成である。また支柱と筒体との固定は、筒体への一本又は数本の緊締ネジの螺入でなす構成である。またそれぞれの解除は、支持杆の脱抜及び緊締ネジの螺戻によりなす構成である。
【０００９】
【実施例】
次に本発明の一実施例を説明する。
【００１０】
１は地中Ｇに埋設された筒体で、この筒体１の上部１ａは地面ＧＬよりやや上方に突出されている。またこの例では、その上部１ａには後述する支柱の固定（回転防止）を図る緊締ネジ２（他の固定手段、固定具を含む。）が一本又は数本設けられており、望ましくはこの緊締ネジ２はダブルナット方式がよい。図中１ｂは筒体１の開口上端であり、後述する支柱に貫設した支持杆が掛止めされる。尚、筒体１の構成は一例であり、同じ技術内容であれば本発明に含まれる（他の各構成も同様である。）。
【００１１】
３は筒体１に昇降（出没）自在に設けられる支柱で、この支柱３には公知の防霜ファン４が設けられる。この例では、この支柱３の下部３ａには一段又は複数段方式の貫通孔３１が設けてあり、望ましくは各段毎に４個開設する。この４個の貫通孔３１を利用して頭５ａ付きの支持杆５を十文字形状に貫設し、前述の如く、この支持杆５の杆部５ｂを筒体１の開口上端１ｂに掛止めする。尚、支持杆５を十文字形状に貫設する関係上よりして、杆部５ｂを湾曲状に形成する。図中５ｃは支持杆５の杆部５ｂに着脱自在・起伏自在等に設けられるナット・止め金具等の止片である。更に図示しないが、支持杆５は、各種の変更例がある。先ず、各段の貫通孔３１を同じ位置で並設して設け、この並設された貫通孔３１にそれぞれ支持杆５を並設して設ける構成がある。次に、直線状の杆部５ｂでなる支持杆５を利用する構成としては、各段の貫通孔３１を開設する位置の変更、即ち、貫通孔３１を上下方向にずらし、かつ筒体１の開口上端１ｂに設けた凹部等を利用して、この支持杆５を重ねるようにして貫設する構成、又は支持杆５を並設して設ける構成、等がある。また支柱３に凹部３ｂ、孔等の工夫を施し、緊締ネジ２による固定をより強固にする構成も採用できる。
【００１２】
尚、図中のＨは茶樹を示す。
【００１３】
本発明の支持杆５及び緊締ネジ２の取扱いの一例を図３（以下、片仮名は、この図における図面を示す。）を基にして説明すると、支柱３の貫通孔３１には支持杆５が十文字形状に貫設されているとともに、この支持杆５は筒体１の開口上端１ｂに掛止めされており、この掛止め位置より没入しない状況となっている（イ）。この状態から、支柱３の位置を変更しようとする際は、先ず、いずれか一方の支持杆５を脱抜し（ロ）、この脱抜した支持杆５を次に位置決めする位置の貫通孔３１に貫設する（ハ）。次いで、他方の支持杆５を脱抜し、この脱抜した支持杆５を次に位置決めする位置の貫通孔３１に貫設する（ニ）。この状態で、支柱３を把持（手動又は自動等を含む。）して緊締ネジ２を螺戻し、この支柱３と筒体１とをフリーにした後（ホ）、順次支柱３を筒体１内に挿入していき前記次の掛止め位置の貫通孔３１に設けられている二本（一例である。）の支持杆５を、筒体１の開口上端１ｂに掛止めするとともに、原則として把持を解除すると、支柱３は次の掛止め位置で支持される（へ）。そして、緊締ネジ２を螺入することにより支柱３は次の掛止め位置で固定される（ト）。
【００１４】
また図２の例は、支柱３のほぼ全体を筒体１内に収容する場合であって、防霜ファン４の一部部品を取外し、支柱３を把持しながら十文字形状に貫設し、例えば、二本（一方又は他方）の支持杆５を、この支柱３の上部に設けた貫通孔３１に移動・貫設（貫設しない場合も有る。）した後、緊締ネジ２を螺戻し、支柱３と筒体１とをフリー状態にする。その後、順次支柱３を筒体１内に収容する。また支柱３と筒体１との固定は、前述の如く、緊締ネジ２の単独の緊締、又は支持杆５と緊締ネジ２との組合せによる緊締又は固定の場合も有り得る。さらに支持杆５は図５の如く、その杆部５ｂを湾曲させ、十文字形状に貫設できる構成が好ましい（一本の場合も有る。）。また前述の操作及び手順等は一例であり、説明等に限定されない。
【００１５】
【発明の効果】
本発明は、筒体に昇降自在に設けた防霜ファンを備える支柱を支持杆及び緊締ネジで、支持・固定する構成であるので、支柱を人的手段等により確実かつ迅速に昇降でき、かつ防霜ファンの方向位置の固定が確実かつ簡易にできること、及びこの昇降位置を確実にキープできること、等の効果を有する。また防霜ファンの茶樹内への収容又は茶樹上への設置が、確実かつ簡易に行える特徴がある。更に電源及び配線が不要となり設置及び装置の簡略化、低コスト化、等が図れる実用的な効果を有する。
【００１６】
また支柱に複数段の貫通孔を設け、この貫通孔に支持杆を設ける構成とすれば、支柱の高さ調整が行える効果、又は防霜効果の拡充が期待できる。また支柱の高さ調整時におけるこの支柱の筒体への没入防止等に役立つ特徴がある。
【図面の簡単な説明】
【図１】防霜ファンを茶樹上に設置した状態の一部省略の正面図である。
【図２】防霜ファンの一部部品を取外して茶樹内に収容した状態の一部省略正面図である。
【図３】筒体と支柱との関係の一例を説明する図であり、（イ）は支持・固定状態の図、（ロ）は一方の支持杆を脱抜した状態の図、（ハ）は脱抜した一方の支持杆を次の掛止め位置の貫通孔に貫設した状態の図、（ニ）は他方の支持杆を脱抜し、かつこの他方の支持杆を次の掛止め位置の貫通孔に貫設した状態の図、（ホ）は緊締ネジを弛緩した状態の図、（へ）は緊締ネジを弛緩した後に支柱を筒体に更に挿入し、かつこの一方及び他方の支持杆を筒体の開口上端に掛止めした状態の図、（ト）は緊締ネジを緊締した状態の図、である。
【図４】筒体と支柱との関係の一例を説明する拡大断面図である。
【図５】支持杆の一例を示す拡大断面図である。
【符号の説明】
１        筒体
１ａ      上部
１ｂ      開口上端
２        緊締ネジ
３        支柱
３ａ      下部
３ｂ      凹部
３１      貫通孔
４        防霜ファン
５        支持杆
５ａ      頭
５ｂ      杆部
５ｃ      止片
Ｈ        茶樹
Ｇ        地中
ＧＬ      地面
【図１】
0003666767.tif 000002
【図２】
0003666767.tif 000003
【図３】
0003666767.tif 000004
【図４】
0003666767.tif 000005
【図５】
0003666767.tif 000006